【手続補正書】
【提出日】平成18年12月12日(2006.12.12)
【手続補正１】
【補正対象書類名】明細書
【補正対象項目名】発明の名称
【補正方法】変更
【補正の内容】
【発明の名称】データ伝送方法及びデータ伝送装置並びにデータ受信方法及びデータ受信装置
【手続補正２】
【補正対象書類名】明細書
【補正対象項目名】特許請求の範囲
【補正方法】変更
【補正の内容】
【特許請求の範囲】
【請求項１】ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データに８ビット／１０ビット変換処理を施すとともに、該８ビット／１０ビット変換処理により順次得られる１０ビットワードデータに基づく第２のワード列データを形成し、該第２のワード列データにおける上記複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成し、該複合ワード列データをシリアルデータに変換して、該シリアルデータを伝送すべく送出するデータ伝送方法。
【請求項２】付加ワードデータグループを挿入する第２のワード列データにおける複数のディジタル映像信号のうちの一つについての特定の位置に対応する部分を、上記第２のワード列データにおける上記複数のディジタル映像信号のうちの一つのラインブランキング期間内における所定の位置に対応する部分に設定することを特徴とする請求項１記載のデータ伝送方法。
【請求項３】付加ワードデータグループを挿入する第２のワード列データにおける複数のディジタル映像信号のうちの一つについての特定の位置に対応する部分を、上記第２のワード列データにおける上記複数のディジタル映像信号のうちの一つのラインブランキング期間内におけるタイミング基準コードデータの直前に対応する部分に設定することを特徴とする請求項２記載のデータ伝送方法。
【請求項４】複数のディジタル映像信号の夫々を、１０ビットワード列データのデータ形式をとる信号となすことを特徴とする請求項１から請求項３までのいずれかに記載のデータ伝送方法。
【請求項５】複数のディジタル映像信号とビット付加信号との組合せを、３チャンネルの１０ビットワード列データのデータ形式をとるディジタル映像信号と２ビット付加データとで形成することを特徴とする請求項４記載のデータ伝送方法。
【請求項６】第１のワード列データを１６ビットワード列データとするとともに、第２のワード列データを２０ビットワード列データとし、付加ワードデータグループを、ワード同期データが２０ビットワードを形成するものとして、複合ワード列データを、複合２０ビットワード列データとすることを特徴とする請求項５記載のデータ伝送方法。
【請求項７】付加ワードデータグループを、第２のワード列データにおける該付加ワードデータグループの直前のものとなるワードデータのランニング・ディスパリティが正である場合と負である場合とで異なるコードを有するものとなすことを特徴とする請求項１から請求項６までのいずれかに記載のデータ伝送方法。
【請求項８】付加ワードデータグループを、複合ワード列データに、ランニング・ディスパリティを正とするワード同期データが含まれることになるものに選定することを特徴とする請求項１から請求項７までのいずれかに記載のデータ伝送方法。
【請求項９】付加ワードデータグループを、複合ワード列データに、ランニング・ディスパリティを負とするワード同期データが含まれることになるものに選定することを特徴とする請求項１から請求項７までのいずれかに記載のデータ伝送方法。
【請求項１０】付加ワードデータグループを、ランニング・ディスパリティをニュートラルとする補助ワードデータを含むものとすることを特徴とする請求項１から請求項９までのいずれかに記載のデータ伝送方法。
【請求項１１】ビット同期はとられているが水平同期及び垂直同期がとられていない複数のディジタル映像信号もしくは該複数のディジタル映像信号とビット付加信号との組合せに、多重化処理を施して第１のワード列データを得るデータ多重手段と、
該データ多重手段から得られる第１のワード列データに８ビット／１０ビット変換処理を施すとともに、該８ビット／１０ビット変換処理により順次得られる１０ビットワードデータに基づく第２のワード列データを形成する８ビット／１０ビット変換・ワード列データ形成手段と、
該８ビット／１０ビット変換・ワード列データ形成手段から得られる第２のワード列データにおける上記複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成するデータ挿入手段と、
該データ挿入手段から得られる複合ワード列データをシリアルデータに変換して、該シリアルデータを伝送すべく送出するデータ送出手段と、
を備えて構成されるデータ伝送装置。
【請求項１２】データ挿入手段が、付加ワードデータグループを、第２のワード列データにおける複数のディジタル映像信号のうちの一つのラインブランキング期間内におけるタイミング基準コードデータの直前に対応する部分に挿入することを特徴とする請求項１１記載のデータ伝送装置。
【請求項１３】データ挿入手段が、コードを異にする第１及び第２の付加ワードデータグループを夫々送出する第１及び第２のワードデータ送出部を備え、第２のワード列データにおける付加ワードデータグループの直前のものとなるワードデータのランニング・ディスパリティが正である場合には、上記第２のワード列データに上記第１の付加ワードデータグループを挿入し、上記直前のものとなるワードデータのランニング・ディスパリティが負である場合には、上記第２のワード列データに上記第２の付加ワードデータグループを挿入することを特徴とする請求項１１または請求項１２記載のデータ伝送装置。
【請求項１４】ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データに８ビット／１０ビット変換処理を施すとともに、該８ビット／１０ビット変換処理により順次得られる１０ビットワードデータに基づく第２のワード列データを形成し、該第２のワード列データにおける上記複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成し、該複合ワード列データをシリアルデータに変換して、該シリアルデータを伝送すべく送出するデータ伝送方法に従って送出される上記シリアルデータを受信し、該シリアルデータを上記複合ワード列データに変換した後、該複合ワード列データから上記付加ワードデータグループを分離して上記第２のワード列データを得、該第２のワード列データに１０ビット／８ビット変換処理を施して、該１０ビット／８ビット変換処理により順次得られる８ビットワードデータに基づく上記第１のワード列データを得、該第１のワード列データから互いに分離された上記複数のディジタル映像信号もしくは上記複数のディジタル映像信号と上記ビット付加信号とを再生するデータ受信方法。
【請求項１５】
ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データに８ビット／１０ビット変換処理を施すとともに、該８ビット／１０ビット変換処理により順次得られる１０ビットワードデータに基づく第２のワード列データを形成し、該第２のワード列データにおける上記複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成し、該複合ワード列データをシリアルデータに変換して、該シリアルデータを伝送すべく送出するデータ伝送方法に従って送出される上記シリアルデータを受信する受信手段と、
該受信手段から得られる上記シリアルデータを上記複合ワード列データに変換するデータ変換手段と、
該データ変換手段から得られる上記複合ワード列データから上記付加ワードデータグループを分離して、上記第２のワード列データを得るワードデータ分離手段と、
該ワードデータ分離手段から得られる上記第２のワード列データに１０ビット／８ビット変換処理を施して、該１０ビット／８ビット変換処理により順次得られる８ビットワードデータに基づく上記第１のワード列データを得る１０ビット／８ビット変換・ワード列データ形成手段と、
該１０ビット／８ビット変換・ワード列データ形成手段から得られる上記第１のワード列データから、互いに分離された上記複数のディジタル映像信号もしくは上記複数のディジタル映像信号と上記ビット付加信号とを再生するデータ分離手段と、
を備えて構成されるデータ受信装置。
【手続補正３】
【補正対象書類名】明細書
【補正対象項目名】０００１
【補正方法】変更
【補正の内容】
【０００１】
【発明の属する技術分野】
本願の特許請求の範囲に記載された発明は、複数のディジタル映像信号もしくは複数のディジタル映像信号とビット付加信号との組合せに、多重化処理を施してワード列データを得、そのワード列データに、８ビット／１０ビット変換，ワード同期データの挿入等の処理を施し、さらに、シリアルデータに変換して伝送すべく送出するデータ伝送方法及びその実施に供されるデータ伝送装置、並びに、当該データ伝送方法に従って伝送されるデータを受信するデータ受信方法及びその実施に供されるデータ受信装置に関する。
【手続補正４】
【補正対象書類名】明細書
【補正対象項目名】００２１
【補正方法】変更
【補正の内容】
【００２１】
斯かる点に鑑み、本願の特許請求の範囲に記載された発明は、伝送されるべきデータに基づいて、８Ｂ／１０Ｂ変換処理が施されるとともにワード同期データを含むものとされたワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、比較的容易に整えることができる手段により伝送することができる、データ伝送方法及びその実施に供されるデータ伝送装置、並びに、当該データ伝送方法に従って伝送されるデータを受信するデータ受信方法及びその実施に供されるデータ受信装置を提供する。
【手続補正５】
【補正対象書類名】明細書
【補正対象項目名】００２２
【補正方法】変更
【補正の内容】
【００２２】
【課題を解決するための手段】
本願の特許請求の範囲における請求項１から請求項１０までのいずれかに記載された発明に係るデータ伝送方法は、ビット同期はとられているが水平同期及び垂直同期がとられていない複数のディジタル映像信号もしくはそれらとビット付加信号との組合せに、多重化処理を施して第１のワード列データを得、第１のワード列データに８Ｂ／１０Ｂ変換処理を施すとともに、８Ｂ／１０Ｂ変換処理により順次得られる１０ビットワードデータに基づく第２のワード列データを形成し、第２のワード列データにおける複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成し、複合ワード列データをシリアルデータに変換して、そのシリアルデータを伝送すべく送出するものとされる。
そして、本願の特許請求の範囲における請求項１４に記載された発明に係るデータ受信方法は、上述の本願の特許請求の範囲における請求項１から請求項１０までのいずれかに記載された発明に係るデータ伝送方法に従って送出されるシリアルデータを受信し、受信したシリアルデータから、ビット同期はとられているが水平同期及び垂直同期がとられていない複数のディジタル映像信号もしくはそれらとビット付加信号とを再生するものとされる。
【手続補正６】
【補正対象書類名】明細書
【補正対象項目名】００２５
【補正方法】変更
【補正の内容】
【００２５】
また、本願の特許請求の範囲における請求項１１から請求項１３までのいずれかに記載された発明に係るデータ伝送装置は、ビット同期はとられているが水平同期及び垂直同期がとられていない複数のディジタル映像信号もしくはそれらとビット付加信号との組合せに、多重化処理を施して第１のワード列データを得るデータ多重手段と、データ多重手段から得られる第１のワード列データに８Ｂ／１０Ｂ変換処理を施すとともに、８Ｂ／１０Ｂ変換処理により順次得られる１０ビットワードデータに基づく第２のワード列データを形成する８Ｂ／１０Ｂ変換・ワード列データ形成手段と、８Ｂ／１０Ｂ変換・ワード列データ形成手段から得られる第２のワード列データにおける複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成するデータ挿入手段と、データ挿入手段から得られる複合ワード列データをシリアルデータに変換して、シリアルデータを伝送すべく送出するデータ送出手段と、を備えて構成される。
そして、本願の特許請求の範囲における請求項１５に記載された発明に係るデータ受信装置は、前述の本願の特許請求の範囲における請求項１から請求項１０までのいずれかに記載された発明に係るデータ伝送方法に従って送出されるシリアルデータを受信し、受信したシリアルデータから、ビット同期はとられているが水平同期及び垂直同期がとられていない複数のディジタル映像信号もしくはそれらとビット付加信号とを再生するものとされる。
【手続補正７】
【補正対象書類名】明細書
【補正対象項目名】００２７
【補正方法】変更
【補正の内容】
【００２７】
上述の如くの本願の特許請求の範囲における請求項１から請求項１０までのいずれかに記載された発明に係るデータ伝送方法、及び、本願の特許請求の範囲における請求項１４に記載された発明に係るデータ受信方法によれば、送信側において、ビット同期はとられているが水平同期及び垂直同期はとられていない、各々が、例えば、Ｄ１信号，Ｄ２信号，ＳＤＴＩ信号等とされる複数のディジタル映像信号、もしくは、斯かる複数のディジタル映像信号とビット付加信号との組合せに基づき、８Ｂ／１０Ｂ変換処理及び付加ワードデータグループ挿入処理を経て形成され、シリアルデータに変換されて送出される複合ワード列データには、それにおける複数のディジタル映像信号のうちの一つについての特定の位置に対応する部分に、ワード同期データを含んだ付加ワードデータグループが挿入されていることになる。ワード同期データは、例えば、ＲＤを正とするワードデータＤＳ１０である＋Ｋ２８．５、もしくは、ＲＤを負とするワードデータＤＳ１０である−Ｋ２８．５とされる。
【手続補正８】
【補正対象書類名】明細書
【補正対象項目名】００２９
【補正方法】変更
【補正の内容】
【００２９】
そして、このような複合ワード列データが変換されたシリアルデータを受ける受信側において、シリアルデータに変換されて伝送された複合ワード列データ中のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれるワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１４に記載された発明に係るデータ受信方法にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【手続補正９】
【補正対象書類名】明細書
【補正対象項目名】００３０
【補正方法】変更
【補正の内容】
【００３０】
特に、本願の特許請求の範囲における請求項１から請求項１０までのいずれかに記載された発明に係るデータ伝送方法によれば、ワード同期データを含んだ付加ワードデータグループが挿入された複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタル映像信号の送信及び受信に用いられる伝送回路ディバイスを利用して行うことができる。従って、伝送されるべきデータに基づいて、８Ｂ／１０Ｂ変換処理が施されるとともにワード同期データを含むものとされたワード列データが形成され、そのワード列データがシリアルデータに変換されて送出される伝送方式をもって、ビット同期はとられているが水平同期及び垂直同期はとられていない、各々が、例えば、複数のＤ１信号，Ｄ２信号，ＳＤＴＩ信号等とされる、複数のディジタル映像信号を、比較的容易に整えることができる手段により伝送することができることになる。
【手続補正１０】
【補正対象書類名】明細書
【補正対象項目名】００３１
【補正方法】変更
【補正の内容】
【００３１】
また、本願の特許請求の範囲における請求項１１から請求項１３までのいずれかに記載された発明に係るデータ伝送装置、及び、本願の特許請求の範囲における請求項１５に記載された発明に係るデータ受信装置によれば、送信側においては、データ送出手段によりシリアルデータに変換されて送出される、例えば、複数のＤ１信号，Ｄ２信号，ＳＤＴＩ信号等とされる複数のディジタル映像信号、もしくは、斯かる複数のディジタル映像信号とビット付加信号との組合せに基づき、８Ｂ／１０Ｂ変換処理及び付加ワードデータグループ挿入処理を経て形成される複合ワード列データには、ＲＤを予め定められた正もしくは負とするワード同期データが含まれていることになる。このようなワード同期データは、例えば、ＲＤを正とするワードデータＤＳ１０である＋Ｋ２８．５、もしくは、ＲＤを負とするワードデータＤＳ１０である−Ｋ２８．５とされる。
【手続補正１１】
【補正対象書類名】明細書
【補正対象項目名】００３３
【補正方法】変更
【補正の内容】
【００３３】
そして、このような複合ワード列データが変換されたシリアルデータを受ける受信側において、シリアルデータに変換されて伝送された複合ワード列データ中のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれるワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１５に記載された発明に係るデータ受信装置にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【手続補正１２】
【補正対象書類名】明細書
【補正対象項目名】００３４
【補正方法】変更
【補正の内容】
【００３４】
特に、本願の特許請求の範囲における請求項１１から請求項１３までのいずれかに記載された発明に係るデータ伝送装置によれば、ワード同期データを含んだ付加ワードデータグループが挿入された複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタル映像信号の送信及び受信に用いられる伝送回路ディバイスを利用して行うことができる。従って、伝送されるべきデータに基づいて、８Ｂ／１０Ｂ変換処理が施されるとともにワード同期データを含むものとされたワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、比較的容易に整えることができる手段により伝送することができることになる。
【手続補正１３】
【補正対象書類名】明細書
【補正対象項目名】００８９
【補正方法】変更
【補正の内容】
【００８９】
図１１は、本願の特許請求の範囲における請求項１から請求項１０までのいずれかに記載された発明に係るデータ伝送方法の一例に従って図１に示されるデータ伝送装置における送信部２４から送出される、複合２０ビットワード列データＤＺ（２０）が変換されて得られたシリアルデータＤＺＳに基づく光信号ＳＺを受信する、本願の特許請求の範囲における請求項１４に記載された発明に係るデータ受信方法の一例が実施される本願の特許請求の範囲における請求項１５に記載された発明に係るデータ受信装置の一例を示す。
【手続補正１４】
【補正対象書類名】明細書
【補正対象項目名】００９０
【補正方法】変更
【補正の内容】
【００９０】
この図１１に示されるデータ受信装置の例にあっては、例えば、オプティカル・ファイバーが用いられて形成されたデータ伝送路を通じて伝送された光信号ＳＺを受信する受信部４５が備えられている。受信部４５は、光信号ＳＺを受信するとき、受信された光信号ＳＺに基づくシリアルデータＤＺＳを再生し、再生されたシリアルデータＤＺＳを同期データ検出・Ｓ／Ｐ変換部４６に供給する。
【手続補正１５】
【補正対象書類名】明細書
【補正対象項目名】００９９
【補正方法】変更
【補正の内容】
【００９９】
図１４は、本願の特許請求の範囲における請求項１から請求項６まで及び請求項８から請求項１０までのいずれかに記載された発明に係るデータ伝送方法の他の例に従って図８に示されるデータ伝送装置における送信部４３から送出される、複合２０ビットワード列データＤＺ（２０）が変換されて得られたシリアルデータＤＺＳに基づく光信号ＳＺを受信する、本願の特許請求の範囲における請求項１４に記載された発明に係るデータ受信方法の他の例が実施される本願の特許請求の範囲における請求項１５に記載された発明に係るデータ受信装置の他の例を示す。
【手続補正１６】
【補正対象書類名】明細書
【補正対象項目名】０１１０
【補正方法】変更
【補正の内容】
【０１１０】
【発明の効果】
以上の説明から明らかな如く、本願の特許請求の範囲における請求項１から請求項１０までのいずれかに記載された発明に係るデータ伝送方法、及び、本願の特許請求の範囲における請求項１４に記載された発明に係るデータ受信方法によれば、送信側において、ビット同期はとられているが水平同期及び垂直同期はとられていない、各々が、例えば、Ｄ１信号，Ｄ２信号，ＳＤＴＩ信号等とされる複数のディジタル映像信号、もしくは、斯かる複数のディジタル映像信号とビット付加信号との組合せに基づき、８Ｂ／１０Ｂ変換処理及び付加ワードデータグループ挿入処理を経て形成され、シリアルデータに変換されて送出される複合ワード列データには、それにおける複数のディジタル映像信号のうちの一つについての特定の位置に対応する部分に、ワード同期データを含んだ付加ワードデータグループが挿入されていることになる。
【手続補正１７】
【補正対象書類名】明細書
【補正対象項目名】０１１１
【補正方法】変更
【補正の内容】
【０１１１】
そして、複合ワード列データが変換されたシリアルデータを受ける受信側において、シリアルデータに変換されて伝送された複合ワード列データ中のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれるワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１４に記載された発明に係るデータ受信方法にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【手続補正１８】
【補正対象書類名】明細書
【補正対象項目名】０１１２
【補正方法】変更
【補正の内容】
【０１１２】
特に、本願の特許請求の範囲における請求項１から請求項１０までのいずれかに記載された発明に係るデータ伝送方法によれば、ワード同期データを含んだ付加ワードデータグループが挿入された複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタル映像信号の送信及び受信に用いられる伝送回路ディバイスを利用して行うことができる。従って、伝送されるべきデータに基づいて、８Ｂ／１０Ｂ変換処理が施されるとともにワード同期データを含むものとされたワード列データが形成され、そのワード列データがシリアルデータに変換されて送出される伝送方式をもって、ビット同期はとられているが水平同期及び垂直同期はとられていない、各々が、例えば、複数のＤ１信号，Ｄ２信号，ＳＤＴＩ信号等とされる、複数のディジタル映像信号を、比較的容易に整えることができる手段により伝送することができることになる。
【手続補正１９】
【補正対象書類名】明細書
【補正対象項目名】０１１３
【補正方法】変更
【補正の内容】
【０１１３】
また、本願の特許請求の範囲における請求項１１から請求項１３までのいずれかに記載された発明に係るデータ伝送装置、及び、本願の特許請求の範囲における請求項１５に記載された発明に係るデータ受信装置によれば、送信側においては、データ送出手段によりシリアルデータに変換されて送出される、例えば、複数のＤ１信号，Ｄ２信号，ＳＤＴＩ信号等とされる複数のディジタル映像信号、もしくは、斯かる複数のディジタル映像信号とビット付加信号との組合せに基づき、８Ｂ／１０Ｂ変換処理及び付加ワードデータグループ挿入処理を経て形成される複合ワード列データには、ＲＤを予め定められた正もしくは負とするワード同期データが含まれていることになる。
【手続補正２０】
【補正対象書類名】明細書
【補正対象項目名】０１１４
【補正方法】変更
【補正の内容】
【０１１４】
そして、複合ワード列データが変換されたシリアルデータを受ける受信側において、シリアルデータに変換されて伝送された複合ワード列データ中のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれるワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１５に記載された発明に係るデータ受信装置にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【手続補正２１】
【補正対象書類名】明細書
【補正対象項目名】０１１５
【補正方法】変更
【補正の内容】
【０１１５】
特に、本願の特許請求の範囲における請求項１１から請求項１３までのいずれかに記載された発明に係るデータ伝送装置によれば、ワード同期データを含んだ付加ワードデータグループが挿入された複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタル映像信号の送信及び受信に用いられる伝送回路ディバイスを利用して行うことができる。従って、伝送されるべきデータに基づいて、８Ｂ／１０Ｂ変換処理が施されるとともにワード同期データを含むものとされたワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、比較的容易に整えることができる手段により伝送することができることになる。
【手続補正２２】
【補正対象書類名】明細書
【補正対象項目名】図１１
【補正方法】変更
【補正の内容】
【図１１】  本願の特許請求の範囲における請求項１から請求項１０までのいずれかに記載された発明に係るデータ伝送方法の一例に従って送出される光信号を、本願の特許請求の範囲における請求項１４に記載された発明に係るデータ受信方法の一例に従って受信する、本願の特許請求の範囲における請求項１５に記載された発明に係るデータ受信装置の一例を示すブロック構成図である。
【手続補正２３】
【補正対象書類名】明細書
【補正対象項目名】図１４
【補正方法】変更
【補正の内容】
【図１４】  本願の特許請求の範囲における請求項１から請求項６まで及び請求項８から請求項１０までのいずれかに記載された発明に係るデータ伝送方法の一例に従って送出される光信号を、本願の特許請求の範囲における請求項１４に記載された発明に係るデータ受信方法の他の例に従って受信する、本願の特許請求の範囲における請求項１５に記載された発明に係るデータ受信装置の他の例を示すブロック構成図である。